(57)【要約】      （修正有）【課題】紫外線光源を設けた除菌室に外部から空気を流通して清浄化する場合に、空気の流通を確保しつつ紫外線の外部漏洩を防いで、効率の良い除菌と健康に無害な安全の両立を図る空気清浄装置を提供する。【解決手段】筐体１の内部に、反射板で囲まれた除菌室Ａ１〜Ａ３を複数室設け、各除菌室に対角線上に１対のスリット１３〜１５を形成し、これらスリット経由で除菌室を一連に通気可能に接続すると共に、除菌室内部には紫外線光源Ｌ１〜Ｌ３を設け、先頭の除菌室には吸気室１６を、また最後尾の除菌室には排気室２０をそれぞれ接続し、また吸気室には筐体に開口する吸気口１７を、排気室には筐体に開口する排気口２４をそれぞれ設け、さらに排気室の内部にはファン２１を設置する。【選択図】図１
0003232435.tif 000002
【実用新案登録請求の範囲】
【請求項１】
筐体の対向する側板内側を反射板で形成し、対向する側板と側板の間に、反射板で形成した複数枚の仕切り板を、間隔を明けて差し渡し、隣り合う2枚1組の仕切り板と筐体の対向する側板内側とにより、前後左右を反射板で囲まれた除菌室を筐体内に複数室形成し、
これら除菌室の2枚の仕切り板のうち、一方の仕切り板の側辺を筐体の側板に密着して固定すると共に、他方の側辺を筐体の内側とは離し遊離端とすることにより仕切り板と筐体の側板との間にスリットを形成し、これと同様に、他方の仕切り板と筐体の側板との間にもスリットを形成し、これら1対のスリットを前記除菌室の対角線上に配置し、
次に、これらのスリット経由で、筐体内の複数室の除菌室を一連に通気可能に接続すると共に、各除菌室の内部には紫外線光源を設置し、
そして、前記一連の除菌室のうち、先頭の除菌室には吸気室を、また最後尾の除菌室には排気室をそれぞれ接続し、吸気室には筐体に開口する吸気口を、また排気室には筐体に開口する排気口を接続し、さらに排気室の内部にはファンを設置することを特徴とする空気清浄装置。
【請求項２】
前記吸気室内部の吸気口正面に整流板を起立し、この整流板の端部を遊離端とし、その遊離端と吸気室の内側との間に通気迂回路を形成することを特徴とする請求項1記載の空気清浄装置。
【請求項３】
前記最後尾の除菌室と排気室の中間に通気迂回路を形成することを特徴とする請求項1記載の空気清浄装置。
【請求項４】
前記紫外線光源が深紫外線ランプであることを特徴とする請求項1記載の空気清浄装置。
【請求項５】
前記反射板がアルミ製であることを特徴とする請求項1記載の空気清浄装置。
【考案の詳細な説明】
【技術分野】
【０００１】
本考案は紫外線により空気（主に室内の空気）を清浄する装置に関する。
【背景技術】
【０００２】
紫外線の中でも特に波長の短いUV-C（260nｍ付近）は除菌効果が顕著で、食品や医薬品等の分野で広く利用されているが、空気は、食品などと違い、紫外線の透過率が高いため、単に照射するだけでは充分な除菌効果が望めない。
【０００３】
そこで紫外線の光源を反射板で囲った空間に設置し、そこに室内の空気を流通させて紫外線を照射する装置が提案されている。次の特許文献は、その例である。
【先行技術文献】
【特許文献】
【０００４】
【特許文献１】特開２０１４−１００２０６号公報この特許文献では、殺菌室の内壁面の全部または一部を紫外線反射材で構成し、光源から出射された紫外線が殺菌室内の空気を通過したのちに、紫外線反射材で構成された内壁面で反射されて、同じ空気を1回以上通過する仕組みになっている。
【考案の概要】
【考案が解決しようとする課題】
【０００５】
このような装置を使用して殺菌室内に室内の空気を流通させる場合、殺菌室に開けた空気の出入口から紫外線が外に漏れ出る恐れがある。除菌用の紫外線は目に入るなどすると健康被害をもたらす。そのため特許文献１では、空気出入口に通気性紫外線遮光部材を設置し、遮光部材として、切り起こし片やハニカム構造を例示している。しかし実際には通気性と遮光性の両立は難しく、空気を流通しながら紫外線を外部に漏洩しないという目的が期待通りに達成できないという問題点があった。
【０００６】
本考案はこのような問題点を解消するもので、空気の流通を確保しつつ紫外線の外部漏洩を防いで、安全で且つ除菌効果に優れた空気清浄装置を提供することを目的とする。
【課題を解決するための手段】
【０００７】
請求項１記載の考案の空気清浄装置の基本的な構成は次のとおりである。
筐体の対向する側板内側を反射板で形成し、対向する側板と側板の間に、反射板で形成した複数枚の仕切り板を、間隔を明けて差し渡し、隣り合う2枚1組の仕切り板と筐体の対向する側板内側とにより、前後左右を反射板で囲まれた除菌室を筐体内に複数室形成する。
これら除菌室の2枚の仕切り板のうち、一方の仕切り板の側辺を筐体の側板に密着して固定すると共に、他方の側辺を筐体の内側とは離し遊離端とすることにより仕切り板と筐体の側板との間にスリットを形成し、これと同様に、他方の仕切り板と筐体の側板との間にもスリットを形成し、これら1対のスリットを前記除菌室の対角線上に配置する。
次に、これらのスリット経由で、筐体内の複数室の除菌室を一連に通気可能に接続すると共に、各除菌室の内部には紫外線光源を設置する。
そして、前記一連の除菌室のうち、先頭の除菌室には吸気室を、また最後尾の除菌室には排気室をそれぞれ接続し、吸気室には筐体に開口する吸気口を、また排気室には筐体に開口する排気口を設け、さらに排気室の内部にはファンを設置する。
【０００８】
請求項２記載の考案は、請求項1記載の空気清浄装置において、吸気室内部の吸気口正面に整流板を起立し、この整流板の端部を遊離端とし、その遊離端と吸気室の内側との間に通気迂回路を形成した構成である。
【０００９】
請求項３記載の考案は、請求項1記載の空気清浄装置において、最後尾の除菌室と排気室の中間に通気迂回路を形成させた構成である。
【００１０】
請求項４記載の考案は、請求項1記載の空気清浄装置において、前記紫外線光源が深紫外線ランプとした構成である。
【００１１】
請求項５記載の考案は、請求項1記載の空気清浄装置において、反射板を鏡面仕上げのアルミ製とした構成である。
【考案の効果】
【００１２】
本考案の装置を室内に設置し、ファンを駆動すると、その吸引力で室内の空気が吸気口から吸気室を経て、スリットより先頭の除菌室に進入する。そこで除菌室内の紫外線光源より出射する紫外線の照射を受け、同時に除菌室の反射板で反射した紫外線を浴びる。その後、除菌室を斜めに横切り、対角線上に配置されたスリットより隣接の除菌室に抜ける。
隣接の除菌室に進入した空気は、前記と同様に、紫外線を浴びた後、さらに隣の除菌室に移動する。
これを繰り返し最後尾の除菌室に至るまで、装置内部を蛇行しながら通過し、その後、排気室の排気口から装置の外部すなわち室内に、放出される。
請求項１記載の考案では、除菌室の仕切り板と筐体の側板内面が反射板で形成されているので、紫外線が反射を繰り返し、除菌室内の空気を効率よく照射して、空気中に含まれる細菌やウイルスを不活性化する。しかも1対のスリットが除菌室の対角線上に配置されているから、空気は除菌室内を、時間をかけて斜めに横断するので、照射効率がよい。
先頭の除菌室を通過した空気は、スリットより隣の除菌室へ進入し、そこでも紫外線の照射を受け、さらに隣の除菌室へと進入し、順次、紫外線の照射を浴びながら最後尾の除菌室より排気室を経て外部に放出される。このように室内の空気を本装置に循環させることで効率よく除菌清浄できる。
そのうえ紫外線光源は除菌室に設置され、吸気口や排気口がある吸気室と排気室には設けないから、紫外線の装置外部への漏洩を抑制できるという効果を奏する。
【００１３】
請求項２記載の考案では、吸気室内部の整流板により通気迂回路を形成するので、先頭の除菌室のスリットから紫外線がたとえ漏洩しても、通気迂回路により吸気口外への漏洩を抑制できるという効果を奏する。
【００１４】
請求項３記載の考案では、最後尾の除菌室と排気室の中間に通気迂回路を形成するので、最後尾の除菌室のスリットから紫外線がたとえ漏洩しても、この通気迂回路により排気口外への漏洩を抑制できるという効果を奏する。
【００１５】
請求項４記載の考案では、紫外線光源が深紫外線ランプなので、除菌効果の高い波長の紫外線を照射できるという効果を奏する。
【００１６】
請求項５記載の考案では、反射板が鏡面仕上げのアルミ製なので反射率が高いばかりでなく軽量なため、装置を任意の場所に軽快に移動できるという効果を奏する。
【図面の簡単な説明】
【００１７】
【図１】本考案を実施した空気清浄装置を断面で示す概念図
【図２】図１の装置の要部を透視した斜視図
【考案を実施するための形態】
【００１８】
本考案の実施の形態を図に従って説明する。
１は全体の形状が直方体の筐体で、左右の側板２，３と前後の側板４，５を四隅の支柱(図示省略)に固定してある。これらの側板２〜５は内側面が鏡面仕上げのアルミ製を使用する。６は長方形の水平な仕切り板で、その左の側辺を下向きに直角に曲げて取付け片７とし、左の側板２の内側にビスで密着して固定する。右の側辺は上向きに直角に曲げて遊離端片８とする。遊離端片８と右の側板３の間にスリット９を形成する。遊離端片８は省略し、単に遊離端としてもよいが、直角に曲げると仕切り板が薄くても曲がりにくく都合が良い。
１０は６と同様の仕切り板で、取付け片１１と遊離端片１２の位置が仕切り板６とは左右逆になっている。すなわち仕切り板１０の左に取付け片１１を、また右に遊離端片１２をそれぞれ形成する。仕切り板１０は仕切り板６と上下に間隔を隔てて、右の側板３に密着して固定し、左の側板２との間にスリット１３を形成する。これら仕切り板６及び１０は鏡面仕上げのアルミ製で、これらと前後左右の側板とにより、前後左右を反射板で囲まれた除菌室A１〜A3を筐体内に上中下３室並べて形成する。
各除菌室の1対のスリットは除菌室の対角線上に配置され、これらのスリット経由で、３室の除菌室は一連に通気可能となる。
各除菌室A１〜A3には、紫外線光源として出力波長253.7nmの深紫外線ランプL1〜L3を設置する。光源はLEDでもよい。
１６は吸気室で、その内部には、吸気口１７の正面に整流板１８を起立し、その上端部を遊離端とし、下の除菌室A1の仕切り板６との間に通気迂回路１９を形成する。吸気口１７には除塵用のフィルタを取り付ける。
２０は排気室で、内部にクロスフローファン２１を設置する。上の除菌室A3と排気室２０の中間に通気迂回路２２を形成する。
２３はキャスターで、２４は排気口である。
【００１９】
室内の空気は、除菌室A1〜A3を下から上へ蛇行しながら流通し、排気口２４から外部に放出される。蛇行中、除菌室A1〜A3で紫外線を浴びウイルスなどが不活性化される。
除菌室A1〜A3のスリットから紫外線が漏れても、吸気室１６及び排気室２０により外部への漏洩が抑制され、これに加えて整流板１８及び通気迂回路２２により一層確実に漏洩が抑制される。
なお除菌室A1〜A3は、左右に横並びに配置しても、効果は変わらない。
【産業上の利用可能性】
【００２０】
本考案の空気清浄装置を室内に設置し、これに室内の空気を循環させると、ウイルスなどを不活性化できウイルス感染予防になると共に、紫外線の漏洩がほとんどなく安全であるため、家庭用事業用を問わず広範囲に使用できる。
【符号の説明】
【００２１】
１は筐体
２〜５は側板
６，１０は仕切り板
７、１１は取付け片
８、１２は遊離端片
９、１３〜１５はスリット
L1〜L3はランプ
１６は吸気室
１７は吸気口
１８は整流板
A1〜A3は除菌室
１９、２２は通気迂回路
20は排気室
２１はファン
２４は排気口
【図１】
0003232435.tif 000003
【図２】
0003232435.tif 000004